(57)【特許請求の範囲】
【請求項１】
ロール状に巻回された１枚の研磨布を複数のガイドローラにより周回させて研磨布の表面と裏面とが接触状に対向するコイン研磨通路を形成すると共に、前記コイン研磨通路の研磨布間にコインを連続して押し出すコイン押出手段と、汚れた研磨布を巻き取る巻取り手段を設けてなるコイン研磨装置であって、
前記巻取り手段は、モーターの駆動によりそれぞれ回転し研磨布を引っ張る巻取スプロケットと、前記巻取スプロケットにより引っ張られる研磨布を巻取る巻取軸とを備え、前記巻取スプロケットを前記巻取軸より遅い速度で回転させるようにしたことを特徴とするコイン研磨装置。
【請求項２】
前記コイン押出手段は、モーターの出力軸に固定された回転円盤と、前記回転円盤の偏心位置に突設したピンに一端が枢支連結されたクランクアームと、前記クランクアームの他端に枢支連結され、前記回転円盤の回転により往復直線運動を行うコイン押出板とからなる請求項１記載のコイン研磨装置。
【請求項３】
前記コイン研磨通路を形成する研磨布間の隙間を拡大する上動手段を設けた請求項１又は２のいずれかに記載のコイン研磨装置。
【請求項４】
前記上動手段は、周面に平らに切削したカム面を形成したカム軸と、前記カム軸を回動するソレノイドとを有し、前記ソレノイドが消磁状態の時にはコイン研磨通路を形成する上部枠体に前記カム軸のカム面を接触状に位置させると共に、前記ソレノイドが励磁状態の時には前記カム軸の回動によりその周面で前記上部枠体を上方へ押し上げるようにした請求項３記載のコイン研磨装置。
【発明の詳細な説明】
【０００１】
【発明の属する技術分野】
本発明は、スロットマシンのようなコインゲーム機で使用するコインの表裏両面を効率よく研磨するコイン研磨装置に関するものである。
【０００２】
【従来の技術】
従来、このようなコイン研磨装置は例えば特開平７−２２０１３４号公報及び特開平７−２２０１３６号公報に記載のものが知られている。この従来のコイン研磨装置は、コイン導入路に送り出されるコインを送りベルトとコインガイドで保持し、送りベルトの駆動でコインを回転させながら上下に設置した上部研磨布と下部研磨布との間を強制的に通過させることによりコインの表裏両面を研磨するように構成されている。
【０００３】
【発明が解決しようとする課題】
上記した従来のコイン研磨装置は、コインの両面を研磨するため上下２枚の研磨布を使用しており、しかもそれぞれの研磨布を巻取るためのモーター等の駆動機構が必要であることから装置全体が大型化されて広い設置スペースが必要とされるばかりか構造が複雑で製作コストが高価になるという問題点があった。
【０００４】
また、コインを送りベルトの側面に摺接させながら研磨布間を通過させるようにしているため、研磨布間の隙間を狭くするとコインがスリップして送り出しが停止するおそれがあり、強い摩擦力で研磨することができなくて研磨能力が劣るという問題点があった。
【０００５】
本発明は、上記した問題点に鑑みてなされたもので、その目的とするところは、装置全体を小型化することができ、しかも強い摩擦力で研磨できるようなコイン研磨装置を提供することである。
【０００６】
【課題を解決するための手段】
上記した目的を達成するために本発明に係るコイン研磨装置は、ロール状に巻回された１枚の研磨布を複数のガイドローラにより周回させて研磨布の表面と裏面とが接触状に対向するコイン研磨通路を形成すると共に、該コイン研磨通路の研磨布間にコインを連続して押し出すコイン押出手段と、汚れた研磨布を巻き取る巻取り手段を設けたものである。
【０００７】
上記のように構成されたコイン研磨装置は、１枚の研磨布の表面と裏面を使用してコインの両面を研磨することができる。このため、研磨布を節約することができると共に、装置全体を小型化することが可能となる。
【０００８】
前記コイン押出手段は、コインを強い摩擦力で研磨することができるようにするため、モーターの出力軸に固定された回転円盤と、該回転円盤の偏心位置に突設したピンに一端が枢支連結されたクランクアームと、該クランクアームの他端に枢支連結され、回転円盤の回転により往復直線運動を行うコイン押出板とを設けて構成するのが好ましい。
【０００９】
また、前記巻取り手段は、研磨布の巻取りが確実に行なえるようにするため、モーターの駆動によりそれぞれ回転し、研磨布を引っ張る巻取スプロケットと、該巻取スプロケットにより引っ張られる研磨布を巻取る巻取軸とを備え、巻取スプロケットを巻取軸より遅い速度で回転させるようにするのが好ましい。
【００１０】
さらに、汚れた研磨布を容易に移動させて巻取ることができるようにするため、コイン研磨通路を形成する研磨布間の隙間を拡大する上動手段を設けるとよい。
【００１１】
前記上動手段は、周面に平らに切削したカム面を形成したカム軸と、該カム軸を回動するソレノイドとを有し、常にはコイン研磨通路を形成する上部支持枠にカム軸のカム面を接触状に位置させると共に、カム軸の回動によりその周面で支持枠を上方へ押し上げるようにするのが好ましい。
【００１２】
【発明の実施の形態】
次に、図面を参照して本発明に係るコイン研磨装置の一実施の形態について説明する。図１はコインゲーム機としてのスロットマシン１とコイン貸出機２を並設した斜視図である。スロットマシン１は、その前面にコイン投入口３、スタートレバー４、絵柄ドラム５、停止ボタン６、コイン払出口７、呼出ランプ８等を設けてなる周知構造のものである。
【００１３】
前記コイン貸出機２は、縦長のボックスの前面に紙幣を挿入し得る現金挿入口９、カード挿入口１０、貸出コイン枚数表示器１１、コイン貯留枚数表示器１２が設けられている。また、ほぼ中央にはコイン返却ボタン１３、精算ボタン１４、カード返却ボタン１５等が設けられ、さらに下部にコイン返却口１６及びコイン投入口６０が設けられている。
【００１４】
一方、コイン貸出機２の内部には、コイン揚送リフト１７、上部タンク１８、下部タンク１９及びコイン研磨装置２０が設けられている。コイン揚送リフト１７は、コイン研磨装置２０によって研磨されたコインを上部タンク１８に揚送するためのもので、上部タンク１８に揚送されたコインは図示しないコイン払出ターンテーブルによりスロットマシン１のコインタンクに優先的に送り出された後、コイン貸出機２のコインタンク２１に導かれるようになっている。また、下部タンク１９は、コイン投入口６０に投入されたコインを一時的に貯留するもので、その貯留されたコインをコイン払出ターンテーブル２２により後述するコイン研磨装置２０のコイン押出機構４７に送り出すようになっている。
【００１５】
図２は本発明の一実施の形態のコイン研磨装置２０の斜視図、図３はその左側面図、図４は右側面図、図５は内部構造を示す側面図である。このコイン研磨装置２０は、上下に分割された下部枠体２３と上部枠体２４とを有する。この下部枠体２３と上部枠体２４は、コインの直径より若干幅広とした間隔を隔てて一対の前後側板２３ａ，２３ｂ，２４ａ，２４ｂを対向状に設けて構成されており、下部枠体２３は基台ベース２５上に固定され、上部枠体２４は下部枠体２３に連結固定された４本のガイド杆２６により上下に摺動可能に支持されている。
【００１６】
前記下部枠体２３には、巻取軸２７と巻取スプロケット２８と複数のガイドローラ２９ａが設けられ、上部枠体２４には筒状支持部３０と複数のガイドローラ２９ｂが設けられている。上部枠体２４の筒状支持部３０にはロール状に巻回された１枚の研磨布３１が回動自在に装着される。この研磨布３１は図５に示すように上部枠体２４及び下部枠体２３のガイドローラ２９ａ，２９ｂ及び巻取スプロケット２８をそれぞれ周回させ、その先端を巻取軸２７の凹溝３２に挟み込んで外れないように止着するもので、その途中の下部枠体２３と上部枠体２４との端部間で表面と裏面とが接触状に対向するコイン研磨通路３３が形成されるようになっている。
【００１７】
前記巻取軸２７は、下部枠体２３の側板２３ｂ外側に固定された巻取手段としての第１のモーター３４の駆動で、巻取スプロケット２８は第２のモーター３５の駆動でそれぞれ回転させられるようになっており、かつ巻取スプロケット２８は巻取軸２７より遅い速度で回転するように設定されている。また、巻取軸２７は研磨布３１の引張力による負荷を受けるとスリップしながら回転するようになっており、これにより研磨布３１を巻取り量に関係なく常に緊張状態を維持しながら巻取り可能なように構成されている。
【００１８】
前記上部枠体２４の両側板２４ａ，２４ｂ外側には、下端で開口する縦長溝３６，３６とコ字形の切欠部３７が形成された支持板３８，３８が固着されている。また、下部枠体２３の両側板２３ａ，２３ｂ外側には突起３９，３９が突設されており、該突起３９，３９を縦長溝３６，３６に嵌めることにより支持板３８，３８を介して上部枠体２４を支持するようになっている。これにより上部枠体２４の下端を下部枠体２３の上端から若干浮上した状態としてコイン研磨通路３３にコインが通過可能な隙間を形成し得るようになっている。
【００１９】
一方、前記下部枠体２３には、上部枠体２４を上動させる上動手段としてのカム軸４０が両側板２３ａ，２３ｂを貫通するように設けられており、該カム軸４０の周面を前記支持板３８，３８の切欠部３７，３７に臨ませている。このカム軸４０は図６に示すように周面に平らに切削したカム面４１が形成されており、かつ一方の側板２４ｂから外方に突出する突出端にソレノイド４２のプランジャ４３に枢支連結したリンク４４の他端がねじ止め４５されている。前記ソレノイド４２は側板２４ｂから分離してガイド杆２６に固着された取付板４６に取り付けられている。また、カム軸４０はソレノイド４２が消磁した状態では図７（イ）に示すようにカム面４１が支持板３８の切欠部３７上端と対向する位置に回動されている。
【００２０】
一方、前記コイン貸出機２の下部タンク１９の下方にコイン押出手段としてのコイン押出機構４７が配設される。このコイン押出機構４７は、下部タンク１９から送り出されるコインをホッパー４８に受け入れると共に、その底部に連設した円筒体４９内に水平状態に積み重ねられた最下端のコインをコイン研磨通路３３に順次押し出すもので、図８及び図９に示すようにモーター５０の出力軸に固定された回転円板５１と、該回転円板５１の偏心位置に突設したピン５２に一端が枢支連結されたクランクアーム５３と、該クランクアーム５３の他端に枢支連結され、その先端にコインが嵌まり込む半円状の切欠５４が形成されたコイン押出板５５とにより構成されている。このコイン押出板５５は、コイン受板５６の上面に形成された凹溝５７内に収められており、回転円板５１の回転により凹溝５７に沿って図９実線と鎖線で示す往復直線運動を連続して行うもので、これによりホッパー４８の円筒体４９から凹溝５７に落下するコインをコイン研磨通路３３に押し出すようになっている。
【００２１】
上記のように構成されたコイン研磨装置２０は、例えばスロットマシン１のコインタンク又はコイン貸出機２のコインタンク２１からの補給指令信号によりコイン押出機構４７のモーター５０が駆動しコイン押出板５５の往復直線運動によりホッパー４８のコインを１枚ずつ連続してコイン研磨通路３３に押し出す。そして、コイン研磨通路３３に押し出されたコインは上下に対向する研磨布３１の表面と裏面で両面が擦られて研磨されつつコイン研磨通路３３を通過する。
【００２２】
このように、コイン押出機構４７によりコインをコイン研磨通路３３に押し出し、研磨布３１の摩擦によってコインを研磨することにより、コイン研磨通路３３の研磨布３１，３１間の隙間を狭くしてもコインを確実に押し出すことが可能となり強い摩擦力で研磨することができる。また、１枚の研磨布３１の表面と裏面を使用してコインの表裏両面を同時に研磨することにより研磨布３１が節約できて経済的であり、しかも研磨布３１の周回面積を小さくすることができて装置全体を小型化することができる。
【００２３】
そして、コイン研磨通路３３から押し出されるコインは図１０及び図１１に示すようにシューター５８を介してコイン揚送リフト１７に送り込まれて上部タンク１８に揚送される。この際にシューター５８を通過するコインをセンサ５９により検知し、通過したコインがあらかじめ設定された枚数（例えば１万枚）に達するとソレノイド４２が励磁される。このソレノイド４２の励磁により図４鎖線で示すようにこれのプランジャ４３が上方へ吸引されてリンク４４が回動し、これに伴いカム軸４０が回動して図７（ロ）に示すように該カム軸４０の周面で切欠部３７の上端を押し上げる。これにより、支持板３８を介して上部枠体２４が上動されてコイン研磨通路３３の研磨布３１，３１間の間隔が広げられて該研磨布３１の巻取りが容易な状態となる。
【００２４】
一方、上部枠体２４が上動すると第１のモーター３４及び第２のモーター３５が駆動し、巻取スプロケット２８により研磨布３１を引張りながら巻取軸２７に巻取るもので、これにより汚れた研磨布３１が移動してきれいな研磨布３１がコイン研磨通路３３に供給されることになる。そして、コイン研磨通路３３の汚れた研磨布３１がすべて移動し終ると第１のモーター３４及び第２のモーター３５が停止し、同時にソレノイド４２が消磁して上部枠体２４を図７（イ）に示す元の位置に戻すもので、これにより再びきれいな研磨布３１でコインを研磨することができるようになる。
【００２５】
【発明の効果】
以上に述べたように本発明に係わるコイン研磨装置は、１枚の研磨布の表面と裏面を使ってコインの表裏両面を研磨するようにしたものであるから、研磨布の節約及び設置スペース、さらには部品点数を減少し、さらにコインを強い摩擦力で確実に研磨することができる。
【００２６】
また、汚れた研磨布を容易に移動させて巻取ることができ、能率よくコインを研磨することができる。
【図面の簡単な説明】
【図１】本発明が適用されるスロットマシンとコイン貸出機の斜視図である。
【図２】本発明に係るコイン研磨装置の斜視図である。
【図３】図２の左側面図である。
【図４】図２の右側面図である。
【図５】図２の内部構造を示す側面図である。
【図６】上動手段の斜視図である。
【図７】（イ），（ロ）は上動手段の作用説明図である。
【図８】コイン押出機構の斜視図である。
【図９】コイン押出機構の作用を説明する平面図である。
【図１０】コイン研磨装置の終端とコイン揚送リフトの連係を示す斜視図である。
【図１１】図１０の作用説明図である。
【符号の説明】
２０            コイン研磨装置
２４            上部枠体
２７            巻取軸
２８            巻取スプロケット
２９ａ，２９ｂ  ガイドローラー
３１            研磨布
３３            コイン研磨通路
３４            第１のモーター
３５            第２のモーター
４０            カム軸
４１            カム面
４２            ソレノイド
５０            モーター
５１            回転円板
５２            ピン
５３            クランクアーム
５５            コイン押出板
【図１】
0003660112.tif 000002
【図２】
0003660112.tif 000003
【図３】
0003660112.tif 000004
【図４】
0003660112.tif 000005
【図５】
0003660112.tif 000006
【図６】
0003660112.tif 000007
【図７】
0003660112.tif 000008
【図８】
0003660112.tif 000009
【図９】
0003660112.tif 000010
【図１０】
0003660112.tif 000011
【図１１】
0003660112.tif 000012